(57)【要約】      （修正有）【課題】ベースと灯体とを備える別々のボディーを持つＬＥＤ灯具を提供する。【解決手段】ベース１１の一端は電気入力部１１１を有し、他端は灯具を収容するための収容溝１１２を有する。ベースは、駆動用の電気回路板１１３を内設され、駆動用の電気回路板は電気入力部に接続していて、駆動用の電気回路板は、収容溝の内部に第１挿入接続部１１４を形成されている。灯体は板状のＬＥＤ灯、蓄電池と第２挿入接続部１２３を設けられ、板状のＬＥＤ灯上は、複数のＬＥＤ発光源を設けられ、板状のＬＥＤ灯１２１、蓄電池１２２と第２挿入接続部を互いに接続させる。これにより、灯体１２をベースの内部に収容して、電球として使用できるほか、蓄電池に充電を行うことができる。停電のときは、灯体を取り出して、蓄電池の電源を利用し発光させ、懐中電灯として使用することができる。【選択図】図１
0003174007.tif 000002
【実用新案登録請求の範囲】
【請求項１】
ベースと、灯体と、を備える別々のボディーを持つＬＥＤ灯具であって、
前記ベースの一端は電気入力部を有し、他端は収容溝を有する、前記ベースに駆動用の電気回路板を内設され、前記駆動用の電気回路板は、前記電気入力部と電気導通され、前記駆動用の電気回路板は、前記収容溝の内部に第１挿入接続部を形成し、前記第１挿入接続部は、前記駆動用の電気回路板に接続されている、
前記灯体は、前記ベースの収容溝に収容していて、かつ前記灯体は、板状のＬＥＤ灯、蓄電池と、第２挿入接続部と、を有する、前記板状のＬＥＤ灯は、複数のＬＥＤ発光源を有し、前記板状のＬＥＤ灯、前記蓄電池と、前記第２挿入接続部を電気導通させ、前記第２挿入接続部は、挿入接続スイッチを設けられ、かつ前記挿入接続スイッチは、それぞれ前記蓄電池と前記板状のＬＥＤ灯と電気導通されている、前記灯体は、前記第２挿入接続部を介して、前記ベースの第１挿入接続部と電気導通した後、板状のＬＥＤ灯を駆動し発光させるほか、前記蓄電池に充電することができる、前記灯体と前記ベースを切り離した後、挿入接続スイッチによって、插接開關蓄電池の電源を使用し、板状のＬＥＤ灯を発光させる、
別々のボディーを持つＬＥＤ灯具。
【請求項２】
前記灯体は、電池室を設けられ、前記板状のＬＥＤ灯と前記第２挿入接続部に電気導通され、前記電池室は前記蓄電池を収容することを特徴とする、請求項１記載の別々のボディーを持つＬＥＤ灯具。
【請求項３】
前記灯体は、丸い球状の構造体を形成され、前記ベースの前記収容溝に対応して、半円形を形成することを特徴とする、請求項１記載の別々のボディーを持つＬＥＤ灯具。
【請求項４】
前記灯体は、長い片状の構造体を形成され、前記ベースの前記収容溝に対応して、長い片状を形成することを特徴とする、請求項１記載の別々のボディーを持つＬＥＤ灯具。
【請求項５】
前記板状のＬＥＤ灯はさらに無線信号受信装置を有し、電子装置より発信される無線制御信号を受信して、前記板状のＬＥＤ灯の発光を制御することを特徴とする、請求項１記載の別々のボディーを持つＬＥＤ灯具。
【考案の詳細な説明】
【技術分野】
【０００１】
本考案は、照明器具の技術分野に関し、特にベースと灯体を結合して灯具として使用するか、または灯体を単独に懐中電灯として使用することができる別々のボディーを持つＬＥＤ灯具に関する。
【背景技術】
【０００２】
発光ダイオード（Ｌｉｇｈｔ  Ｅｍｉｔｔｉｎｇ  Ｄｉｏｄｅ、以下ＬＥＤという）を照明の光源に使用することは、ますます普及している。ＬＥＤは、寿命が長く、省電力および低汚染などの長所を有し、照明産業革命のかなえと認識されている。現在、市場で良く使用されているＬＥＤ照明製品は、交通信号、警告標識または営業場所の装飾灯と広告看板など、その種類は多種にわたり、盛り沢山である。
【考案の概要】
【考案が解決しようとする課題】
【０００３】
しかし、ＬＥＤは光源が集中し、発光の角度がわりと小さい照明光源であるため、特殊設計を施さない限り、十分な照射角と範囲を得ることはできない。さらに、一般の家庭に使用するＬＥＤ電球に仕上げる場合は、従来の電球のねじ込み式電気入力部または正負極の電気入力部を設けて、受金に螺設または挿接し、電気を取り入れて発光させなければならない。残念ながら、現在市販のＬＥＤ電球は、従来の電球と同じく、電源が失われると、使用できなくなり、一般者の使用ニーズに応えることができない。
【課題を解決するための手段】
【０００４】
よって、考案者は、別々のボディーを持つＬＥＤ灯具構造を提供する。ベースと灯体を電球に結合して、一般の受金に取り付けて使用するか、または灯体とベースを切り離して使用し、灯体に内蔵された蓄電池の電源によって、灯体を発光させ、懐中電灯として使用する。よって、電源が有る無しにかかわらず、本考案の別々のボディーを持つＬＥＤ灯具を引き続き使用することができる。
【０００５】
本考案の一目的は、一種の構造が簡単、かつ取付けと使用が便利の別々のボディーを持つＬＥＤ灯具構造を提供する。一般の受金に取り付けて電球として使用できるほか、停電のときは、灯体を単独に取り外し懐中電灯として使用することができる、まさに実用性を有する製品である。
【０００６】
前記目的を達成するため、本考案の別々のボディーを持つＬＥＤ灯具は、ベースと、灯体を、を備える。ベースの一端は電気入力部を有し、他端は収容溝を有する。ベースは、駆動用の電気回路板を内設され、駆動用の電気回路板は、電気入力部に電気導通されている。駆動用の電気回路板は、収容溝の内部に第１挿入接続部を形成され、第１挿入接続部と駆動用の電気回路板が電気導通されている。灯体は、ベースの収容溝に収容されている。灯体は、板状のＬＥＤ灯、蓄電池と第２挿入接続部と、を有する。板状のＬＥＤ灯は、複数のＬＥＤ発光源を設けられ、板状のＬＥＤ灯、蓄電池と第２挿入接続部を互いに接続させる。灯体は、第２挿入接続部とベースに内設された第１挿入接続部を介して電気導通し、灯体の発光を駆動するほか、蓄電池を充電することができる。第２挿入接続部は、さらに挿入接続スイッチを設けられ、挿入接続スイッチは、それぞれ蓄電池と板状のＬＥＤ灯と電気導通されている。これにより、灯体をベースの内部に収容し電球として使用できるほか、灯体に備える蓄電池を充電することができる。停電のときは、灯体とベースを切り離して、灯体に内蔵された蓄電池の電源をもって発光させ、懐中電灯として使用することができる。
【０００７】
一実施例において、灯体は、丸い球状の構造体を形成し、ベースの収容溝は、灯体に対して半円形を形成するか、または灯体が長い片状の構造体を形成して、ベースは灯体に合わせて、長い片状を形成して、さまざまな場所と受金に適用することができる。
【０００８】
一実施例において、灯体は電池室を有し、板状のＬＥＤ灯および第２挿入接続部に接続していて、かつ電池室に蓄電池が収容されている。
一実施例において、板状のＬＥＤ灯はさらに、無線信号受信装置を有し、電子装置より発信される無線制御信号を受信して、板状のＬＥＤ灯の発光を制御する。
【図面の簡単な説明】
【０００９】
【図１】本考案の実施例１の立体分解図である。
【図２】本考案の実施例２の立体分解図である。
【図３】本考案の好ましい実施例における組立後の立体外観図である。
【図４】本考案の実施例１における組立後の断面視図である。
【図５】本考案の実施例２における組立後の断面視図である。
【図６】本考案の実施例３の構造態様図である。
【考案を実施するための形態】
【００１０】
本考案の内容のさらなる理解を図るため、下記の説明に図式を組み合わせ、参考にしていただきたい。
【実施例】
【００１１】
図１ないし５、本考案の実施例１、実施例２の立体分解図、組み立て後の立体外観図と、実施例２の組み立て後の断面視図を参照する。図に示すように、本考案の別々のボディーを持つＬＥＤ灯具１０は、受金２０の内部に取り付けられ、電源を受け入れて発光するか充電するに便利である。別々のボディーを持つＬＥＤ灯具１０は、ベース11と灯体12と、を備える。
【００１２】
そのうち、ベース１１は、受金２０に対応して、ベース１１の一端は、電気入力部１１１を設けられ、ベース１１の他端は、収容溝１１２を設けられている。収容溝１１２は、灯体１２に対応して半円形を形成していて、ベース１１の内部に駆動用の電気回路板１１３を設けられ、駆動用の電気回路板１１３は、安定化電源の電圧と電流の提供に備える。駆動用の電気回路板１１３はさらに、電気入力部１１１に接続されている。駆動用の電気回路板１１３上は、第１挿入接続部１１４を有し、第１挿入接続部１１４は、収容溝１１２の内面に形成され、第１挿入接続部１１４はさらに、駆動用の電気回路板１１３と電気導通されている。特に注意したいことは、さまざまな受金２０に対応して、電気入力部１１１は、ねじ込み式またはピン式規格のいずれかを選択する。ただし、この限りでない。螺設または挿接などの方式によって、受金２０の内部に取り付けて、駆動用の電気回路板１１３に電気を提供する。
【００１３】
灯体１２は、丸い球状の構造体を形成して、ベース１１の収容溝１１２の内部に収容して、電球に類似する形式を形成する。灯体１２は板状のＬＥＤ灯１２１、蓄電池１２２と第２挿入接続部１２３と、を有する。板状のＬＥＤ灯１２１上は、複数のＬＥＤ発光源（素子番号が表示されていない）設けることによって、板状のＬＥＤ灯１２１、蓄電池１２２と、第２挿入接続部１２３を互いに接続することができる。引き続き、灯体１２は、第２挿入接続部１２３を介して、ベース１１内部の第１挿入接続部１１４と電気導通させ、電気は受金２０を経由し、ベース１１の駆動用の電気回路板１１３に流され、第１挿入接続部１１４と第２挿入接続部１２３を互いに接続させ、安定電圧と安定電流によって、驅動灯体１２の板状のＬＥＤ灯１２１を発光させるか、または蓄電池１２２に充電させることができる。このほか、第２挿入接続部１２３はさらに、挿入接続スイッチ１２４を有する。挿入接続スイッチ１２４はそれぞれ、蓄電池１２２と板状のＬＥＤ灯１２１と電気導通させ、灯体１２とベース１１を分離した後、蓄電池１２２の電源を駆動し、板状のＬＥＤ灯１２１を発光させる。特に注意したいことは、蓄電池１２２は、一定の寿命があるほか、蓄電能力も次第に低化される。よって、考案者は、灯体１２の片側に電池室１２５を設けて、板状のＬＥＤ灯１２１及び第２挿入接続部１２３と電気導通させ、新しい蓄電池１２２の抜き挿し交換ができる。従来のように、蓄電池１２２を灯体１２と同時に交換しなければならない悩みを解消できる。考案者は、灯体１２を懐中電灯としての使用に備えて、遠隔地より発光を制御する発想を考案し、板状のＬＥＤ灯１２１上に無線信号受信装置１２６を取り付けて、電子装置（例えば、特定のリモコンまたは携帯式通信装置など）より無線の制御信号を発信することによって、板状のＬＥＤ灯１２１の発光を制御する。
【００１４】
これにより、本考案は、灯体１２をベース１１の内部に収容し電球を形成して、受金２０に取り付けて使用できるほか、灯体１２の蓄電池１２２を充電することができる。さらに、停電または夜間に携行して照明するときは、灯体１２をベース１１より取り外して、分離した使用態様を形成する。挿入接続スイッチ１２４は、灯体１２と１１ベースを分離した後、灯体１２に内蔵された蓄電池１２２の電源を起動し、電気供給を行うことによって、板状のＬＥＤ灯１２１を発光させ、懐中電灯として使用することができる。
【００１５】
引き続き図１、図４を参照する。そのうち、第１挿入接続部１１４を突起ピンに形成し、第２挿入接続部１２３を凹み溝に形成する。第１挿入接続部１１４を第２挿入接続部１２３に挿入して電気導通させる。または、図２、図５に示すように、第１挿入接続部１１４を凹み溝に形成し、第２挿入接続部１２３を突起ピンに形成する。第２挿入接続部１２３を第１挿入接続部１１４に挿入して電気導通を形成して、灯体１２とベース１１との挿入接続を完了する。
【００１６】
図６、本考案実施例３の構造概略図を参照する。図３は、本考案もう一つの実施形態である。そのうち、灯体１２は、長い片状の構造体を形成され、ベース１１の収容溝１１２は、灯体１２に対応して長い片状を形成する。その他の構成品は、図１に同じである。結合するとき、同じく灯体１２をベース１１に備える収容溝１１２の内部挿入しておき、第１挿入接続部１１４と第２挿入接続部１２３を介して、両者の電気導通を完了する。これを一般の受金２０に装置すれば、電球として使用することができる。さらに、灯体１２をベース１１より取り外した後は、懐中電灯に使用することができる。本実施例において、同じく電池室１２５と無線信号受信装置１２６を設けられており、かつ接続方式は、前述実施例に同じであるため、ここでの説明を省略する。
【００１７】
以上に説明したものは、本考案の好ましい実施例であり、本考案の実施範囲に制限を加えるものではない。よって、当技術について一般知識を有する者による、本考案の精神と範囲を逸脱しない、いかなる等効果変化、修飾も、本考案の請求範囲に含まれる。
【符号の説明】
【００１８】
１０    別々のボディーを持つＬＥＤ灯具
１１    ベース
１１１  電気入力部
１１２  収容溝
１１３  駆動用の電気回路板
１１４  第１挿入接続部
１２    灯体
１２１  板状のＬＥＤ灯
１２２  蓄電池
１２３  第２挿入接続部
１２４  挿入接続スイッチ
１２５  電池室
１２６  無線信号受信装置
２０    受金
【図１】
0003174007.tif 000003
【図２】
0003174007.tif 000004
【図３】
0003174007.tif 000005
【図４】
0003174007.tif 000006
【図５】
0003174007.tif 000007
【図６】
0003174007.tif 000008